(57)【特許請求の範囲】
【請求項１】
一対の第１側壁部材を有する第１ダクト本体と
第１蓋部材とを有する第１ダクト、および、一対の第２側壁部材を有する第２ダクト本体と第２蓋部材とを有する第２ダクトを連結するために、
前記第１側壁部材に設けた第１孔部に対応する第１取付孔部と、前記第２側壁部材に設けた第２孔部に対応する第２取付孔部とを有する連結具本体と、
前記第１蓋部材と前記第２蓋部材とに亘って取付ける連結蓋部材とを有し、
前記第１取付孔部と前記第１孔部とに亘り、及び、前記第２取付孔部と前記第２孔部とに亘って、雄ねじ部材を貫通させることで前記第１側壁部材と前記第２側壁部材とを連結可能にするダクト連結具であって、
前記第１取付孔部及び前記第２取付孔部のうち、少なくとも何れか一方を長孔状に形成すると共に、
前記長孔状に形成した取付孔部から、前記第１ダクトの内部あるいは前記第２ダクトの内部が見えないように、前記第１側壁部材あるいは前記第２側壁部材に対して前記連結具本体とは反対側に裏当板を配置しつつ、前記第１ダクトと前記第２ダクトとを間隔調節自在に連結するダクト連結具。
【請求項２】
前記第１取付孔部及び前記第２取付孔部の双方を長孔状に形成すると共に、
前記裏当板を、第１裏当板と第２裏当板とで構成し、
前記第１取付孔部に対向する位置に前記第１裏当板を配置し、
前記第２取付孔部に対向する位置に前記第２裏当板を配置することで、前記第１取付孔部および前記第２取付孔部から、前記第１ダクトの内部あるいは前記第２ダクトの内部が見えないように構成してある請求項１に記載のダクト連結具。
【請求項３】
前記雄ねじ部材が螺合可能であって、前記裏当板とは別個に形成した雌ねじ部材を、前記裏当板に固設してある請求項１または請求項２に記載のダクト連結具。
【発明の詳細な説明】
【０００１】
【発明の属する技術分野】
本発明は、一対の第１側壁部材を有する第１ダクト本体と第１蓋部材とを有する第１ダクト、および、一対の第２側壁部材を有する第２ダクト本体と第２蓋部材とを有する第２ダクトを連結するために、前記第１側壁部材に設けた第１孔部に対応する第１取付孔部と、前記第２側壁部材に設けた第２孔部に対応する第２取付孔部とを有する連結具本体と、前記第１蓋部材と前記第２蓋部材とに亘って取付ける連結蓋部材とを有し、前記第１取付孔部と前記第１孔部とに亘り、及び、前記第２取付孔部と前記第２孔部とに亘って、雄ねじ部材を貫通させることで前記第１側壁部材と前記第２側壁部材とを連結可能にするダクト連結具に関する。
【０００２】
【従来の技術】
従来、例えば、建築物の屋上等に設置した空調設備から空調用の配管を各階に配設する場合等に、特に屋上部分に於いては、配管用のダクトを用いて敷設することがある。
この場合には、多数の定尺ダクトを順次接続して配管用のダクトを構成する。
例えば、第１ダクトと第２ダクトとを互いに連結するには、第１ダクトに係る第１側壁部材と第２ダクトに係る第２側壁部材とに亘って連結具本体を配設し、当該連結具本体と第１側壁部材とを、及び、当該連結具本体と第２側壁部材とを雄ねじ部材により締結した後、第１ダクトの第１蓋部材と第２ダクトの第２蓋部材とに連結蓋部材を架け渡す手法が用いられている。
【０００３】
【発明が解決しようとする課題】
しかし、上記従来のダクト連結具を用いてダクトを連結する場合には、次のような問題があった。
つまり、所定の距離に亘って配管用のダクトを設置する場合には、屋上の構造や他の設置物との関係上、設置経路上の特定の箇所において曲線状のダクトを用いて所謂立ち上り部や立ち下り部、あるいは、コーナー部を形成しなければならない場合がある。
通常、個々のダクトは定尺に形成されているから、上記のごとく位置が限定された立ち上り部等に対して連結するダクトは、切断する等して所定の距離に加工する必要がある。このため、配管作業が非常に手間のかかるものとなる場合があった。
しかも、ダクトの内部に敷設する配管によっては、日光や雨水によって劣化され易いものもあるため、ダクトの内部を前記日光等から確実に遮断するためには、このような連結部の加工を特に慎重に行う必要があった。
【０００４】
本発明の目的は、このような従来技術の欠点を解消し、ダクトどうしを間隔調節自在に連結し得ると共に、ダクトの内部を外部から遮蔽し得るダクト連結具を提供することにある。
【０００５】
【課題を解決するための手段】
この目的を達成するための本発明の特徴構成を、図１に示した例を参考に説明する。
【０００６】
（構成１）
本発明のダクト連結具は、請求項１に記載したごとく、前記第１取付孔部（１４Ｂ）及び前記第２取付孔部（１５Ｂ）のうち、少なくとも何れか一方を長孔状に形成すると共に、前記長孔状に形成した取付孔部から、前記第１ダクト（Ｄ１）の内部あるいは前記第２ダクト（Ｄ２）の内部が見えないように、前記第１側壁部材（２Ａ）あるいは前記第２側壁部材（２Ｂ）に対して前記連結具本体（１２）とは反対側に裏当板（１３）を配置しつつ、前記第１ダクト（Ｄ１）と前記第２ダクト（Ｄ２）とを間隔調節自在に連結できるよう構成した点に特徴を有する。
（作用・効果）
本構成のダクト連結具によれば、第１取付孔部及び第２取付孔部のうち、少なくとも何れか一方を長孔状に形成するから、第１側壁部材等を貫通して取付けた雄ねじ部材と前記第１取付孔部等とは互いに位置変更自在となる。よって、第１ダクトと第２ダクトとを相互の間隔を調節自在に連結することができ、例えば、ダクトの配設経路中に立ち上がり部等が存在する場合でも、当該立ち上がり部等に連結する両側の定尺ダクトを切断等することなく連結することができて、ダクトの配設作業を効率化することができる。
しかも、連結具本体の裏側には裏当板を配置するから、上記のごとく第１取付孔部等を長孔状に形成した場合にも、当該孔部からダクトの内部が見えることはない。よって、当該孔部から日光や雨水がダクトの内部に浸入するのを防止することができ、ダクト内部に敷設した各種配管の劣化を防止することができる。
【０００７】
（構成２）
本発明のダクト連結具は、請求項２に記載したごとく、前記第１取付孔部（１４Ｂ）及び前記第２取付孔部（１５Ｂ）の双方を長孔状に形成すると共に、前記裏当板（１３）を、第１裏当板（１３Ａ）と第２裏当板（１３Ｂ）とで構成し、前記第１取付孔部（１４Ｂ）に対向する位置に前記第１裏当板（１３Ａ）を配置し、前記第２取付孔部（１５Ｂ）に対向する位置に前記第２裏当板（１３Ｂ）を配置することで、前記第１取付孔部（１４Ｂ）および前記第２取付孔部（１５Ｂ）から、前記第１ダクト（Ｄ１）の内部あるいは前記第２ダクト（Ｄ２）の内部が見えないように構成することができる。
（作用・効果）
本構成のごとく、第１取付孔部及び第２取付孔部の双方を長孔状に形成すると共に、第１裏当板と第２裏当板とを別個に構成した場合でも、上記構成１の場合と同様に、第１ダクトと第２ダクトとを相互の間隔を調節自在に連結することができ、ダクトの内部に日光や雨水が浸入するのを防止することができる。
さらに、本構成であれば、第１側壁部材の端部を連結具本体と第１裏当板とで挟持し、第２側壁部材の端部を連結具本体と第２裏当板とで挟持することとなるから、第１側壁部材の端部および第２側壁部材の端部が共に補強されることとなって、連結部を強固なものに構成することができる。
【０００８】
（構成３）
本発明のダクト連結具は、請求項３に記載したごとく、前記裏当板（１３）とは別個に形成し、前記雄ねじ部材（Ｎ）を螺合させるための雌ねじ部材（ｎ）を、前記裏当板（１３）に固設して構成することができる。
（作用・効果）
本構成であれば、雄ねじ部材を取付ける際に雌ねじ部材を保持しておく必要がないから、雄ねじ部材の取付け作業を容易にすることができる。
また、単に雌ねじ部材を取付けるだけの簡単な構成であるから、前記裏当板を容易に作製することができる。
【０００９】
尚、上記課題を解決するための手段の説明中、図面を参照し、図面との対照を便利にするために符号を記すが、当該記入により本発明が添付図面の構成に限定されるものではない。
【００１０】
【発明の実施の形態】
以下に本発明の実施例を図面に基づいて説明する。
【００１１】
本発明に係るダクト連結具は、各種の配管Ｐを施す場合に配管方向Ｘに連結するダクトＤどうしを、双方の間隔を調節自在に連結するためのものである。
図１には、当該ダクト連結具を用いて二つのダクトＤどうしを連結する部位の分解斜視図を示す。
ここでは、直線状のダクトＤどうしを連結する場合を示す。ただし、当該ダクト連結具は、直線状のダクトＤどうしを連結するのみならず、上方あるいは下方に屈曲する所謂ダクトＤの立上り部分や立下り部分に用いることもできる。
【００１２】
連結すべきダクトＤは以下の構成を有する。即ち、当該ダクトＤは、底縁部１を有し、且つ、配管方向Ｘに沿って設けた側壁部材２どうしを複数の受け部材３で連結してあるダクト本体４と、当該ダクト本体４に対して着脱自在に取け可能な底部材５、および、前記ダクト本体４に対して着脱自在に取付け可能な蓋部材６とから構成される。
側壁部材２は、上縁部７および底縁部１を折り曲げて形成してある。上縁部７は蓋部材６の取り付け部として用い、底縁部１は底部材５の取り付け部として用いる。また、このように折り曲げて構成することにより、側壁部材２を補強することができる。
【００１３】
一対の前記側壁部材２は、複数の受け部材３によって連結される。これによりダクト本体４が構成される。前記受け部材３は、ダクトＤの内部に敷設される各種配管を載置する機能も有する。側壁部材２と受け部材３とは、雄ねじ部材Ｎによって着脱自在に固定する。
【００１４】
ダクト本体４の内側からは、底部材５を取付ける。当該底部材５は、配管方向Ｘに隣接する受け部材３どうしの間隔に対応させた寸法に構成してあり、夫々の底部材５は、受け部材３どうしの間の開口を塞ぐように個々に取付ける。
当該底部材５は、配管方向Ｘに沿った両側に、一対の前記底縁部１に対して内方から接当可能な接当辺部８を有している。また、配管方向Ｘにおける両端の辺部には、前記受け部材３の縁部に載置するための段部９を形成してある。
接当辺部８と側壁部材２の底縁部１とには孔部１０Ａ、１０Ｂを設けてあり、これら接当辺部８と底縁部１とに対してダクト本体４の外方から雄ねじ部材Ｎを貫通させ、ダクト本体４の内側に設けた雌ねじ部材ｎに螺合させて固定する。
【００１５】
蓋部材６を前記上縁部７に取付けるには、図１に示すごとく、蓋部材６に設けた孔部１１Ａおよび上縁部７に設けた孔部１１Ｂに対して上方から雄ねじ部材Ｎを挿通させると共に、上縁部７の孔部１１Ｂの裏側に設けた雌ねじ部材ｎに雄ねじ部材Ｎを螺合させて行う。当該雌ねじ部材ｎは、例えば上縁部７の孔部１１Ｂに対して直に雌ねじを形成してもよいし、別途形成したナット部材を溶接等によって取り付けるものであってもよい。
【００１６】
次に、第１ダクトと第２ダクトとを連結する例を示す。
第１ダクトＤ１と第２ダクトＤ２とは、例えば図１から図３に示すごとくダクト連結具を用いて連結する。ここで、図２はダクト連結部の縦断面図を示し、図３はダクト連結部の一部横断平面図を示す。
ダクト連結具は、第１ダクトＤ１と第２ダクトＤ２とを互いの間隔調節自在に連結するものであり、主に、配管方向Ｘに隣接する第１側壁部材２Ａと第２側壁部材２Ｂとを夫々を連結する連結具本体１２と、第１側壁部材２Ａあるいは第２側壁部材２Ｂを挟んで連結具本体１２と反対側に配置する裏当板１３とで構成する。
連結具本体１２は、第１側壁部材２Ａに設けた第１孔部１４Ａに対応する第１取付孔部１４Ｂと、第２側壁部材２Ｂに設けた第２孔部１５Ａに対応する第２取付孔部１５Ｂとを有する。つまり、第１取付孔部１４Ｂと第１孔部１４Ａとに亘り、及び、第２取付孔部１５Ｂと第２孔部１５Ａとに亘って、雄ねじ部材Ｎを貫通させることで、第１側壁部材２Ａと第２側壁部材２Ｂとを連結する。
【００１７】
連結具本体１２は、第１側壁部材２Ａと第２側壁部材２Ｂとを、その間隔を調節自在に連結すべく、第１取付孔部１４Ｂ及び第２取付孔部１５Ｂのうち少なくとも何れか一方を長孔状に形成してある。例えば、図１に示すごとく、第１取付孔部１４Ｂは通常の孔部として構成し、第２取付孔部１５Ｂを長孔状に構成する。本構成の場合には、第２取付孔部１５Ｂの長さの範囲において第１側壁部材２Ａと第２側壁部材２Ｂとの間隔を任意に調節することができる。
一方、前記裏当板１３は、長孔状に構成した第２取付孔部１５Ｂからダクト本体４の内部が見えないようにするためのものである。裏当板１３は、例えば、図１、図３に示すごとく、第２孔部１５Ａに対して取付ける。裏当板１３には、通常の円形の孔部１５Ｃを設ける。当該裏当板１３は、連結具本体１２と第２側壁部材２Ｂとを貫通させて取付けた雄ねじ部材Ｎを用いて取付ける。よって、裏当板１３と第２側壁部材２Ｂとは相対移動不可能に固定される。裏当板１３の自由側端部は、第２側壁部材２Ｂの端部から突出するよう構成しておく。例えば、裏当板１３の孔部１５Ｃから当該裏当板１３の自由側端部までの長さを、第２取付孔部１５Ｂの長さよりも長く構成しておけば、第１側壁部材２Ａと第２側壁部材２Ｂとを最も離間させて固定した場合でも、第２取付孔部１５Ｂの内面側には、必ず裏当板１３が位置することとなって、ダクト本体４の内部が見えることはない。
さらに、当該裏当板１３は、ダクト本体４の内部側に向けて段状に構成しておくと、第１取付孔部１４Ｂと第１孔部１４Ａとを貫通させた雄ねじ部材Ｎの端部をかわすことができるから都合がよい。
尚、連結具本体１２の周辺部のうち前記配管方向Ｘの両端部に位置する両辺部の裏面には、例えば、雨水がダクトＤの内部に浸入するのを防止するためにシール部材１６を設けておく。当該シール部材１６は例えば、一般のゴム部材（ＣＲ）やスポンジ状の各種樹脂、あるいは、フェルトその他の繊維などで構成することができる。
この他、連結具本体１２の周辺部のうち、第１ダクトＤ１の第１蓋部材６Ａあるいは第２ダクトＤ２の第２蓋部材側６Ｂの辺部には、以下に述べる蓋裏当板１９を支持するための蓋裏当板受け部１７を設けてある。蓋裏当板受け部１７については、以下で説明する。
【００１８】
前記第１ダクトＤ１と前記第２ダクトＤ２との連結部分には、図１および図４に示すごとく、連結具本体１２の他に連結蓋部材１８を取付ける。
連結蓋部材１８を取付けるには、さらに蓋裏当板１９を用いる。連結蓋部材１８と蓋裏当板１９とで、第１ダクトの第１蓋部材と、前記第２ダクトの第２蓋部材とを挟持するのである。
当該蓋裏当板１９は、左右の連結具本体１２に夫々設けた蓋裏当板受け部１７に対して仮止めすることができる。蓋裏当板受け部１７は、図１に示すように溝部２１を有する鈎状に構成してある。一方、蓋裏当板１９の裏面には、連結蓋部材１８と蓋裏当板１９とを締結する際に用いる雄ねじ部材Ｎを螺合させるための雌ねじ部材ｎを取付けてある。つまり、蓋裏当板１９を蓋裏当板受け部１７の上面に載置しつつ、雌ねじ部材ｎを蓋裏当板受け部１７の溝部２１にうまくはめ込むことで、連結蓋部材１８を被せた場合に蓋裏当板１９が逃げないように構成してある。
特に、ダクトＤを垂直方向に敷設する場合には、蓋裏当板受け部１７の溝部２１が上方に開口するよう、連結具本体１２を取り付けておくとよい。この場合には、蓋裏当板１９の雌ねじ部材ｎが溝部に係止されるから、連結蓋部材１８を被せる場合に、蓋裏当板１９が落下することがなく、連結蓋部材１８を効率よく取付けることができる。
連結蓋部材１８は、前記第１蓋部材６Ａの上面と前記第２蓋部材６Ｂの上面とに亘って載置する。連結蓋部材１８の平面中央近傍を通り、配管方向Ｘに垂直な方向の直線上には、連結蓋部材１８と蓋裏当板１９とを連結するための取付孔部２２Ａが散点的に設けてある。蓋裏当板１９にも同様の位置に取付孔部２２Ｂを設けてあり、こららの取付孔部２２Ａ、２２Ｂに雄ねじ部材Ｎを貫通させ、蓋裏当板１９の内側に設けた雌ねじ部材ｎと螺合させることで、連結蓋部材１８と蓋裏当板１９とを引き付け、第１蓋部材６Ａと第２蓋部材６Ｂとを挟持するのである。この場合に、雄ねじ部材Ｎは、第１ダクトＤ１と第２ダクトＤ２との隙間に位置するから、雄ねじ部材Ｎを取付ける際に支障となるものはない。
また、連結蓋部材１８の取付孔部２２Ａには、図５に示すごとく座ぐり部２３を設けておくと共に、雄ねじ部材Ｎ１として頭部が皿状のものを用いてもよい。本構成によれば、雄ねじ部材Ｎの頭部を連結蓋部材１８の表面から突出させない状態にすることができる。
【００１９】
尚、連結蓋部材１８の周辺部のうち、配管方向Ｘに沿った両側の辺部であって、当該辺部の配管方向Ｘの両端部には、第１蓋部材６Ａを第１側壁部材２Ａに取り付ける雄ねじ部材Ｎの頭部、および、第２蓋部材６Ｂを第２側壁部材２Ｂに取り付ける雄ねじ部材Ｎの頭部をかわすための切欠き部２４Ａを形成してある。当該切欠き部２４Ａにより、連結蓋部材１８は、第１蓋部材６Ａおよび第２蓋部材６Ｂの表面から浮き上がることなくこれらの部材６Ａ、６Ｂに取付けることができる。これと同様に、蓋裏当板１９についても切欠き部２４Ｂを設ける。
これらの切欠き部２４Ａ，２４Ｂを設けることは、第１ダクトＤ１と第２ダクトＤ２との間隔調節を自在にすることにもなる。
【００２０】
また、連結蓋部材１８の周辺部のうち、配管方向Ｘとは直角な方向に沿った二つの辺部の裏側には、図１に示すごとく、雨水がダクトＤの内部に浸入しないように夫々シール部材２５を設けてある。当該シール部材２５は、連結具本体１２に設けたものと同じ材料で構成することができる。
【００２１】
前記第１ダクトＤ１と前記第２ダクトＤ２との連結部分には、図１に示すごとく、さらに連結底部材２０を設ける。
当該連結底部材２０の周辺部のうち、配管方向Ｘと平行な二つの周辺部の夫々には、底部材取付け用の長孔部２６を、配管方向Ｘに沿った両端部近傍に一つずつ形成する。当該長孔部２６は、第１ダクトＤ１と第２ダクトＤ２とを間隔調節自在に連結することを許容するものである。よって、当該長孔部２６による調節可能なストロークは、長孔状に形成した連結具本体１２の第２取付孔部１５Ｂの長さと等しく設定しておくのが望ましい。
一方、連結底部材２０の周辺部のうち配管方向Ｘと直角な二つの周辺部は、ダクトＤとは反対側に折り曲げて補強部２７を形成してある。
当該連結底部材２０は、第１ダクトＤ１の底縁部１Ａと第２ダクトＤ２の底縁部１Ｂとに亘って夫々のダクトＤ１、Ｄ２の外方側から当接させ、第１ダクトＤ１の第１底部材５Ａあるいは第２ダクトＤ２の第２底部材５Ｂを固定している雄ねじ部材Ｎを、連結底部材２０を取付けるための長孔部２６に貫通させて取り付ける。
【００２２】
以上のごとく、本発明のダクト連結具を用いれば、第１ダクトＤ１と第２ダクトＤ２とを互いの間隔を調節自在に連結することができ、しかも、連結部分においてダクトＤの内部を見えなくすることができるから、ダクトＤの敷設作業の効率を向上させることができると共に、内部に敷設した配管を日光や雨水から遮断して長期にわたり確実に保護することができるようになった。
【００２３】
〔別実施形態〕
上記実施形態においては、連結具本体１２に設けた第１取付孔部１４Ｂおよび第２取付孔部１５Ｂのうち第２取付孔部１５Ｂのみを長孔に形成した。しかし、当該構成に限られるものではなく、図６に示すごとく第１取付孔部１４Ｂと第２取付孔部１５Ｂとの双方を長孔に形成してもよい。
この場合には、例えば、裏当板１３を第１裏当板１３Ａと第２裏当板１３Ｂとで構成する。
第１裏当板１３Ａと第２裏当板１３Ｂとには、夫々、第１孔部１４Ａあるいは第２孔部１５Ａに対応する位置に孔部１４Ｃ，１５Ｃを形成しておく。つまり、本別実施形態では、第１取付孔部１４Ｂおよび第１孔部１４Ａ、第１裏当板１３Ａの孔部１４Ｃに亘って雄ねじ部材Ｎを貫通させて、連結具本体１２および第１側壁部材２Ａ、第１裏当板１３Ａを連結する。尚、第１裏当板１３Ａの両面のうち、ダクトＤの内方側を向く面には、前記雄ねじ部材Ｎを螺合させる雌ねじ部材ｎを溶接等によって固設してある。
第２裏当板１３Ｂの取り付けもこれと同様に行う。
本別実施形態の場合には、第１取付孔部１４Ｂあるいは第２取付孔部１５ＢからダクトＤの内部が見えないようにするために、第１取付孔部１４Ｂと第２取付孔部１５Ｂとの長さ、および、第１裏当板１３Ａのサイズと第２裏当板１３Ｂのサイズとを以下のように設定してある。
つまり、第１裏当板１３Ａの周縁部のうち第２裏当板１３Ｂの側の縁部と第１孔部１４Ａとの間の長さが、第１取付孔部１４Ｂの長手方向の長さよりも長く、第２裏当板１３Ｂの周縁部のうち第１裏当板１３Ａの側の縁部と第２孔部１５Ａとの間の長さが、第２取付孔部１５Ｂの長手方向の長さよりも長くなるように構成してある。本構成であれば、第１側壁部材２Ａと第２側壁部材２Ｂとを最も離間させた状態で連結した場合でも、第１取付孔部１４Ｂ等からダクトＤの内部が見えることはない。
尚、第１取付孔部１４Ｂおよび第２取付孔部１５Ｂを、その全長に亘って有効に利用するためには、第１側壁部材２Ａと第２側壁部材２Ｂとを最も近接させた場合にも、第１裏当板１３Ａと第２裏当板１３Ｂとが衝突しないことが必要である。このためには、例えば、第１裏当板１３Ａの周縁部のうち第２裏当板１３Ｂの側の縁部と、第１裏当板１３Ａの孔部１４Ｃとの最短距離、および、第２裏当板１３Ｂの周縁部のうち第１裏当板１３Ａの側の縁部と、第２裏当板１３Ｂの孔部１５Ｃとの最短距離を、何れも、第１取付孔部１４Ｂと第２取付孔部１５Ｂとの最短距離のおよそ半分以下に設定しておけばよい。
本構成であれば、上記実施形態の場合と同様に、第１ダクトＤ１と第２ダクトＤ２とを相互の間隔を調節自在に連結することができ、ダクトＤの内部に日光や雨水が浸入するのを防止することができる。
さらに、本構成であれば、第１側壁部材２Ａの端部を連結具本体１２と第１裏当板１３Ａとで挟持し、第２側壁部材２Ｂの端部を連結具本体１２と第２裏当板１３Ｂとで挟持することとなるから、第１側壁部材２Ａの端部および第２側壁部材２Ｂの端部が共に補強されることとなって、連結部を強固なものに構成することができる。
【図面の簡単な説明】
【図１】本発明のダクト連結具を用いたダクト連結部を示す分解斜視図
【図２】ダクト連結部の縦断面図
【図３】ダクト連結部の一部横断平面図
【図４】ダクト連結部の分解縦断面図
【図５】連結蓋部材の取付け部の縦断面図
【図６】別実施形態に係るダクト連結具を示す分解斜視図
【符号の説明】
Ｄ１    第１ダクト
Ｄ２    第２ダクト
２Ａ    第１側壁部材
２Ｂ    第２側壁部材
４Ａ    第１ダクト本体
４Ｂ    第２ダクト本体
６Ａ    第１蓋部材
６Ｂ    第２蓋部材
１２    連結具本体
１３    裏当板
１３Ａ  第１裏当板
１３Ｂ  第２裏当板
１４Ａ  第１孔部
１４Ｂ  第１取付孔部
１５Ａ  第２孔部
１５Ｂ  第２取付孔部
１８    連結蓋部材
Ｎ      雄ねじ部材
ｎ      雌ねじ部材
【図１】
0003812987.tif 000002
【図２】
0003812987.tif 000003
【図３】
0003812987.tif 000004
【図４】
0003812987.tif 000005
【図５】
0003812987.tif 000006
【図６】
0003812987.tif 000007